(57)【要約】【課題】延伸ブロー成形される飲料ディスペンサ用カートリッジ容器の底部に、逆さ吊り下げ用の別体の把手部材を、手間を掛けずに強固に取り付けることである。【解決手段】プリフォームの原突出部を、小径の首部３ａの先端側に拡径された円形頭部３ｂを有する突出部３に延伸ブロー成形で成形し、別体の把手部材１１の環状基部１２の内周側に、先端側が内向きに傾斜するように立ち上がる円錐筒部１６を設け、円錐筒部１６の基端内径を円形頭部３ｂよりも大径に、先端内径を円形頭部３ｂよりも小径に形成して、円錐筒部１６の先端側に先端部を拡径可能とする複数の切込み１６ａを設け、円錐筒部１６の先端側を拡径させて、円錐筒部１６を基端側から円形頭部３ｂの下側の首部３ａに嵌め込むことにより、容器本体１の底部に、逆さ吊り下げ用の別体の把手部材１１を、手間を掛けずに強固に取り付けることができるようにした。【選択図】図５
2011020729.tif 000002
【特許請求の範囲】
【請求項１】
底部に原突出部が設けられたプリフォームから延伸ブロー成形される樹脂製の容器本体の底部に、逆さ吊り下げ用の別体の把手部材の環状基部を取り付けた飲料ディスペンサ用カートリッジ容器において、前記プリフォームの原突出部を、小径の首部の先端側に拡径された円形頭部を有する突出部に前記延伸ブロー成形で成形し、前記別体の把手部材の環状基部の内周側に、先端側が内向きに傾斜するように立ち上がる円錐筒部を設けて、前記円錐筒部の基端内径を前記円形頭部よりも大径に、円錐筒部の先端内径を円形頭部よりも小径に形成し、前記円錐筒部の先端側に、その先端面に開口し、先端部を拡径可能とする複数の切込みを設けて、この切込みを設けた円錐筒部の先端側を拡径させて、円錐筒部を基端側から前記突出部の円形頭部の下側の首部に嵌め込み、この嵌め込み後に、前記拡径された円錐筒部の先端内径が円形頭部よりも小径となるようにして、前記把手部材の環状基部を前記延伸ブロー成形された容器本体の底部に取り付けたことを特徴とする飲料ディスペンサ用カートリッジ容器。
【請求項２】
前記円錐筒部の高さ寸法を、前記円形頭部の下側の首部の高さ寸法よりも高くし、前記首部に嵌め込まれる円錐筒部に負の高さ隙間を付与した請求項１に記載の飲料ディスペンサ用カートリッジ容器。
【請求項３】
前記円錐筒部の先端面を、円錐筒部の軸方向と直角な平面で形成した請求項１または２に記載の飲料ディスペンサ用カートリッジ容器。
【請求項４】
前記別体の把手部材を、一対の互いに反対側を向くＣ字状の把手部を有するものとし、前記環状基部に、外径側へ張り出して二股に分岐する二股基部を、１８０°の位相で２箇所に設け、前記一対のＣ字状の各把手部の両側の基端が、それぞれ前記２箇所に設けた各二股基部の二股に分岐する一方の先端に連なるようにし、これらの把手部の基端と二股基部の先端との連なり部を、一対の把手部が合わせて把持されるように屈曲可能とした請求項１乃至３のいずれかに記載の飲料ディスペンサ用カートリッジ容器。
【請求項５】
前記連なり部を屈曲可能とする手段が、連なり部の屈曲断面での肉厚を両側よりも薄肉に形成して、この薄肉に形成した連なり部を、前記容器本体の底側へ湾曲させたものである請求項４に記載の飲料ディスペンサ用カートリッジ容器。
【請求項６】
前記合わせて把持される一対のＣ字状の把手部の合わせ側の面に、Ｃ字方向に延びる抉り溝を設け、少なくとも一方の合わせ側の面の抉り溝に、抉り溝の深さと等しい高さの堰を設けた請求項４または５に記載の飲料ディスペンサ用カートリッジ容器。
【請求項７】
前記合わせて把持される一対の把手部の合わせ側の面を平坦面とし、この平坦面とした少なくとも一方の合わせ側の面に突起部を設けた請求項４または５に記載の飲料ディスペンサ用カートリッジ容器。
【請求項８】
前記別体の把手部材を、前記樹脂製の容器本体と同じ種類の樹脂で形成した請求項１乃至７のいずれかに記載の飲料ディスペンサ用カートリッジ容器。
【請求項９】
前記容器本体と別体の把手部材を形成する同じ種類の樹脂を、ポリエチレンテレフタレートとした請求項８に記載の飲料ディスペンサ用カートリッジ容器。
【発明の詳細な説明】
【技術分野】
【０００１】
本発明は、飲料ディスペンサに下向きに接続される飲料ディスペンサ用カートリッジ容器に関する。
【背景技術】
【０００２】
飲料水やジュース等の飲料ディスペンサに用いられる飲料ディスペンサ用カートリッジ容器は、充填された飲料を排出する筒口部を下に向けて、飲料ディスペンサの上面に設けられた容器接続部に接続するために、逆さに吊り下げる把手を樹脂製の容器本体の底に設けたものが多い（例えば、特許文献１参照）。
【０００３】
このような逆さ吊り下げ用の把手を樹脂製の容器本体の底に設ける手段としては、容器本体をプリフォームから延伸ブロー成形されるものとし、プリフォームの底部に設けられた原突出部を利用して、この原突出部を延伸ブロー成形で把手の形状に一体に成形する方法（例えば、特許文献２参照）、および、環状基部を有する別体の把手部材を用意し、この別体の把手部材の環状基部をプリフォームの原突出部の周りにセットして、原突出部を延伸ブロー成形で環状基部の内径よりも外側へ膨出させ、この膨出させた原突出部で把手部材の環状基部を容器本体と非分離とする方法（例えば、特許文献３参照）が知られている。
【０００４】
このような延伸ブロー成形される容器本体の樹脂には、ポリプロピレン（ＰＰ）、ポリエチレン（ＰＥ）、これらの共重合体、ポリエチレンテレフタレート（ＰＥＴ）等が用いられている。ＰＥＴは、透明性、ガス遮断性、耐薬品性、耐圧性等に優れているので、飲料ディスペンサ用カートリッジ容器に好適である。
【先行技術文献】
【特許文献】
【０００５】
【特許文献１】特開２００６−１０３７５８号公報
【特許文献２】特開２００４−１９６３３２号公報
【特許文献３】特開平４−１３３７１５号公報
【発明の概要】
【発明が解決しようとする課題】
【０００６】
特許文献２に記載された、プリフォームの原突出部を延伸ブロー成形で把手の形状に一体に成形する方法は、把手の大きさや形状に制約があり、飲料ディスペンサ用カートリッジ容器のように、大量の飲料が充填される重い容器を逆さ吊り下げする把手の形成には適していない。また、把手部を一体に成形するために、延伸ブロー成形の成形型の形状も複雑になる。
【０００７】
一方、特許文献３に記載された、別体の把手部材の環状基部を、延伸ブロー成形で原突出部を膨出させた突出部で非分離とする方法は、把手の大きさや形状に制約はないが、延伸ブロー成形する成形型に、別体の把手部材を予めセットする必要があるので、延伸ブロー成形に手間がかかり、成形型の形状も複雑になる問題がある。
【０００８】
そこで、本発明の課題は、延伸ブロー成形される飲料ディスペンサ用カートリッジ容器の底部に、逆さ吊り下げ用の別体の把手部材を、手間を掛けずに強固に取り付けることである。
【課題を解決するための手段】
【０００９】
上記の課題を解決するために、本発明は、底部に原突出部が設けられたプリフォームから延伸ブロー成形される樹脂製の容器本体の底部に、逆さ吊り下げ用の別体の把手部材の環状基部を取り付けた飲料ディスペンサ用カートリッジ容器において、前記プリフォームの原突出部を、小径の首部の先端側に拡径された円形頭部を有する突出部に前記延伸ブロー成形で成形し、前記別体の把手部材の環状基部の内周側に、先端側が内向きに傾斜するように立ち上がる円錐筒部を設けて、前記円錐筒部の基端内径を前記円形頭部よりも大径に、円錐筒部の先端内径を円形頭部よりも小径に形成し、前記円錐筒部の先端側に、その先端面に開口し、先端部を拡径可能とする複数の切込みを設けて、この切込みを設けた円錐筒部の先端側を拡径させて、円錐筒部を基端側から前記突出部の円形頭部の下側の首部に嵌め込み、この嵌め込み後に、前記拡径された円錐筒部の先端内径が円形頭部よりも小径となるようにして、前記把手部材の環状基部を前記延伸ブロー成形された容器本体の底部に取り付けた構成を採用した。
【００１０】
すなわち、プリフォームの原突出部を、小径の首部の先端側に拡径された円形頭部を有する突出部に延伸ブロー成形で成形し、別体の把手部材の環状基部の内周側に、先端側が内向きに傾斜するように立ち上がる円錐筒部を設けて、円錐筒部の基端内径を円形頭部よりも大径に、円錐筒部の先端内径を円形頭部よりも小径に形成し、円錐筒部の先端側に、その先端面に開口し、先端部を拡径可能とする複数の切込みを設けて、この切込みを設けた円錐筒部の先端側を拡径させて、円錐筒部を基端側から突出部の円形頭部の下側の首部に嵌め込み、この嵌め込み後に、拡径された円錐筒部の先端内径が円形頭部よりも小径となるようにして、把手部材の環状基部を延伸ブロー成形された容器本体の底部に取り付けることにより、延伸ブロー成形で成形される飲料ディスペンサ用カートリッジ容器の底部に、逆さ吊り下げ用の別体の把手部材を、手間を掛けずに強固に取り付けることができるようにした。
【００１１】
前記円錐筒部の高さ寸法を、前記円形頭部の下側の首部の高さ寸法よりも高くし、前記首部に嵌め込まれる円錐筒部に負の高さ隙間を付与することにより、把手部材の環状基部をガタツキなく強固に容器の底部に固定することができる。
【００１２】
前記円錐筒部の先端面を、円錐筒部の軸方向と直角な平面で形成することにより、円錐筒部の先端面を円形頭部の下面側に広い面積で安定して当接させることができる。
【００１３】
前記別体の把手部材を、一対の互いに反対側を向くＣ字状の把手部を有するものとし、前記環状基部に、外径側へ張り出して二股に分岐する二股基部を、１８０°の位相で２箇所に設け、前記一対のＣ字状の各把手部の両側の基端が、それぞれ前記２箇所に設けた各二股基部の二股に分岐する一方の先端に連なるようにし、これらの把手部の基端と二股基部の先端との連なり部を、一対の把手部が合わせて把持されるように屈曲可能とすることにより、カートリッジ容器を逆さ吊り下げするときの吊り下げ力を、２箇所の二股基部の一対のＣ字状の把手部との４つの連なり部に均等に分散させ、飲料が充填された重いカートリッジ容器の吊り下げに十分に耐用可能なものとすることができる。
【００１４】
前記連なり部を屈曲可能とする手段が、連なり部の屈曲断面での肉厚を両側よりも薄肉に形成して、この薄肉に形成した連なり部を、前記容器本体の底側へ湾曲させたものとすることにより、繰り返しの屈曲に対する連なり部の耐久性を確保することができる。
【００１５】
前記合わせて把持される一対のＣ字状の把手部の合わせ側の面に、Ｃ字方向に延びる軽量化等のための抉り溝を設ける場合は、少なくとも一方の合わせ側の面の抉り溝に、抉り溝の深さと等しい高さの堰を設けることにより、一対の把手部が合わせて把持されるときに、合わせ側の面の抉り溝同士が互い違いに嵌まり合うのを防止し、重いカートリッジ容器を逆さ吊り下げするときに、これらの間に手の表層部の肉が強く挟まれるのを防止することができる。
【００１６】
前記合わせて把持される一対の把手部の合わせ側の面を平坦面とする場合は、この平坦面とした少なくとも一方の合わせ側の面に突起部を設けることにより、一対の把手部が合わせて把持されるときに、他方の合わせ側の面との間に隙間を形成し、重いカートリッジ容器を逆さ吊り下げするときに、一対の把手部の平坦な合わせ面間に、手の表層部の肉が強く挟まれるのを防止することができる。
【００１７】
前記別体の把手部材を、前記樹脂製の容器本体と同じ種類の樹脂で形成することにより、カートリッジ容器を廃棄するときの分別を不要とすることができる。
【００１８】
前記容器本体と別体の把手部材を形成する同じ種類の樹脂は、ポリエチレンテレフタレートとするとよい。
【発明の効果】
【００１９】
本発明の飲料ディスペンサ用カートリッジ容器は、プリフォームの原突出部を、小径の首部の先端側に拡径された円形頭部を有する突出部に延伸ブロー成形で成形し、別体の把手部材の環状基部の内周側に、先端側が内向きに傾斜するように立ち上がる円錐筒部を設けて、円錐筒部の基端内径を円形頭部よりも大径に、円錐筒部の先端内径を円形頭部よりも小径に形成し、円錐筒部の先端側に、その先端面に開口し、先端部を拡径可能とする複数の切込みを設けて、この切込みを設けた円錐筒部の先端側を拡径させて、円錐筒部を基端側から突出部の円形頭部の下側の首部に嵌め込み、この嵌め込み後に、拡径された円錐筒部の先端内径が円形頭部よりも小径となるようにして、把手部材の環状基部を延伸ブロー成形された容器本体の底部に取り付けたので、延伸ブロー成形で成形される飲料ディスペンサ用カートリッジ容器の底部に、逆さ吊り下げ用の別体の把手部材を、手間を掛けずに強固に取り付けることができる。
【図面の簡単な説明】
【００２０】
【図１】本発明に係る飲料ディスペンサ用カートリッジ容器を示す切欠き正面図
【図２】図１の底面図
【図３】図１の把手部材を示す平面図
【図４】ａ、ｂは、それぞれ図３のIVa−IVa線とIVb−IVb線に沿った断面図
【図５】ａ、ｂ、ｃは、図３の把手部材の円錐筒部を円形頭部の下側の首部に嵌め込む過程を示す断面図
【図６】図３の把手部材の一対の把手部を把持するために合わせた状態を示す切欠き側面図
【図７】図３の把手部材の変形例を示す平面図
【図８】図７のVIII−VIII線に沿った断面図
【図９】図７の把手部材の一対の把手部を把持するために合わせた状態を示す切欠き側面図
【図１０】図１のカートリッジ容器を飲料ディスペンサにセットした状態を示す縦断面図
【発明を実施するための形態】
【００２１】
以下、図面に基づき、この発明の実施形態を説明する。この飲料ディスペンサ用カートリッジ容器は、図１および図２に示すように、ＰＥＴ製の容器本体１が、プリフォームから延伸ブロー成形で薄肉の角形ボトル形状に成形され、その底の中心部に、同じくＰＥＴ製の別体の把手部材１１が取り付けられており、筒口部２を下向きにして逆さに吊り下げられるようになっている。この容器本体１は、折り畳み可能な可撓性を有するものである。
【００２２】
前記容器本体１の底の中心部には、プリフォームの原突出部を利用して、小径の首部３ａの先端側に拡径された円形頭部３ｂを有する突出部３が、延伸ブロー成形で同時に成形されている。首部３ａと円形頭部３ｂは中空とされ、円形頭部３ｂの外径面は、丸みを付与された断面形状とされている。
【００２３】
前記別体の把手部材１１は、図３および図４（ａ）、（ｂ）に示すように、前記突出部３の首部３ａに嵌まり込む環状基部１２と、環状基部１２の１８０°の位相で２箇所から外径側へ張り出して二股に分岐する二股基部１３と、一対の互いに反対側を向くＣ字状の把手部１４を有し、各把手部１４の両側の基端が、それぞれ各二股基部１３の二股に分岐する一方の先端と連なり部１５で連なっている。環状基部１２と二股基部１３の外周部には、それぞれ補強用のリブ１２ａ、１３ａが形成されている。
【００２４】
前記環状基部１２の内周側には、先端側が内向きに傾斜するように立ち上がる円錐筒部１６が設けられ、円錐筒部１６は、基端内径が前記突出部３の円形頭部３ｂよりも大径に、先端内径が円形頭部３ｂよりも小径に形成され、後述するように、先端側を拡径可能とする複数の切込み１６ａが先端面１６ｂに開口するように設けられている。これらの切込み１６ａは、切欠きのない切込み線のみのものとしてもよい。
【００２５】
前記連なり部１５は、両側の把手部１４の基端と二股基部１３の先端よりも薄肉に形成され、容器本体１の底側となる下方へ湾曲するように形成されており、後述するように、一対の把手部１４を合わせて把持するように屈曲可能とされている。
【００２６】
前記Ｃ字状の把手部１４は、剛性を確保して軽量化するために、両側面にＣ字方向に延びる抉り溝１４ａが設けられており、一対の把手部１４が合わせて把持されるときの、一方の把手部１４の合わせ側の面の抉り溝１４ａに、溝の深さと等しい高さの堰１４ｂが２箇所に設けられている。また、各把手部１４は、手で把持される中央の把持部の幅が基端側よりも広く形成され、その内周側に波状の指係止部１４ｃが設けられている。
【００２７】
図５（ａ）、（ｂ）、（ｃ）は、前記円錐筒部１６を突出部３の円形頭部３ｂの下側の首部３ａに嵌め込む過程を示す。円錐筒部１６の高さ寸法Ｈは、円形頭部３ｂの下側の首部３ａの高さ寸法ｈよりも少し高く形成され、先端面１６ｂは、筒軸と直角な平面で形成されている。まず、図５（ａ）に示すように、円形頭部３ｂよりも内径が大径の基端を下に向けて、円錐筒部１６の内径面を、丸みを持たせた円形頭部３ｂの外径面に当接させる。つぎに、図５（ｂ）に示すように、円錐筒部１６を下方へ押し込んで、切込み１６ａを設けた円錐筒部１６の先端側を円形頭部３ｂで拡径させる。
【００２８】
こののち、図５（ｃ）に示すように、円錐筒部１６をさらに下方へ押し込んで、円錐筒部１６を円形頭部３ｂの下側の首部３ａに嵌め込む。このとき、円錐筒部１６の高さ寸法Ｈは、円形頭部３ｂの下側の首部３ａの高さ寸法ｈよりも少し高く形成されているので、首部３ａに嵌め込まれる円錐筒部１６に負の高さ隙間が付与され、環状基部１２がガタツキなく強固に容器本体１の底部に固定されるとともに、円錐筒部１６の筒軸と直角な平面で形成された先端面１６ｂが、円形頭部３ｂの下面側に広い面積で安定して当接される。
【００２９】
図６は、前記一対の把手部１４を各連なり部１５で屈曲させて、合わせて把持されるようにした状態を示す。これらの連なり部１５は、屈曲断面で薄肉に形成され、屈曲方向と逆方向に湾曲しているので、屈曲時の曲げ応力が集中せず、繰り返しの屈曲に対する耐久性を確保することができる。また、一方の把手部１４の合わせ側の面の抉り溝１４ａには、把持部の２箇所で溝の深さと等しい高さの堰１４ｂが設けられているので、飲料が充填された重いカートリッジ容器を逆さに吊り下げるときに、合わせて把持される一対の把手部１４が上下にずれても、その合わせ側の面の抉り溝１４ａが互い違いに嵌まり合うことはなく、これらの間で手の表層部の肉が強く挟まれることはない。
【００３０】
図７および図８は、前記把手部材１１の変形例を示す。この把手部材１１は、前記Ｃ字状の把手部１４が、片面側のみにＣ字方向に延びる抉り溝１４ａが設けられ、反対側の合わせ側の面が平坦面とされており、この平坦面とされた一方の把手部１４の合わせ側の面に、突起部１４ｄが把持部の２箇所で設けられている点が異なる。その他の部分は実施形態のものと同じである。したがって、図９に示すように、飲料が充填された重いカートリッジ容器を逆さに吊り下げるときに、合わせて把持される一対の把手部１４の合わせ側の面間に隙間が形成され、これらの面間で手の表層部の肉が強く挟まれることはない。
【００３１】
図１０は、上述した飲料が充填された飲料ディスペンサ用カートリッジ容器を逆さ吊り下げして、飲料ディスペンサ２１にセットした状態を示す。容器本体１は、下向きとされた筒口部２が、飲料ディスペンサ２１の上面に設けられた容器接続部２２に接続され、可撓性を有する側壁部が、飲料ディスペンサ２１に載置された枠状の支持具２３で周囲を支持されている。筒口部２から容器接続部２２に排出される飲料は、フロート弁２４が設けられた注水パイプ２５から、タンク２６内の水位が低下したときに落下する。
【００３２】
上述した実施形態と変形例では、別体の把手部材を、一対の互いに反対側を向くＣ字状の把手部を有し、これらの把手部が二股に分岐する二股基部を介して環状基部と連なるものとしたが、把手部の形態は実施形態のものに限定されることはなく、内周側に円錐筒部を有する環状基部と連なるものであればよい。
【００３３】
また、上述した実施形態では、容器本体を角形ボトル形状で可撓性を有するものとしたが、容器本体は丸形ボトル形状とすることもでき、可撓性のない剛性を有するものとすることもできる。また、容器本体はＰＥＴ製のものに限定されることはなく、延伸ブロー成形可能な樹脂製のものであればよい。
【符号の説明】
【００３４】
１  容器本体
２  筒口部
３  突出部
３ａ  首部
３ｂ  円形頭部
１１  把手部材
１２  環状基部
１３  二股基部
１２ａ、１３ａ  リブ
１４  把手部
１４ａ  抉り溝
１４ｂ  堰
１４ｃ  指係止部
１４ｄ  突起部
１５  連なり部
１６  円錐筒部
１６ａ  切込み
１６ｂ  先端面
２１  飲料ディスペンサ
２２  容器接続部
２３  支持具
２４  フロート弁
２５  注水パイプ
２６  タンク
【図１】
2011020729.tif 000003
【図２】
2011020729.tif 000004
【図３】
2011020729.tif 000005
【図４】
2011020729.tif 000006
【図５】
2011020729.tif 000007
【図６】
2011020729.tif 000008
【図７】
2011020729.tif 000009
【図８】
2011020729.tif 000010
【図９】
2011020729.tif 000011
【図１０】
2011020729.tif 000012
【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
底部に原突出部が設けられたプリフォームから延伸ブロー成形される樹脂製の容器本体の底部に、逆さ吊り下げ用の別体の把手部材の環状基部を取り付けた飲料ディスペンサ用カートリッジ容器において、前記プリフォームの原突出部を、小径の首部の先端側に拡径された円形頭部を有する突出部に前記延伸ブロー成形で成形し、前記別体の把手部材の環状基部の内周側に、先端側が内向きに傾斜するように立ち上がる円錐筒部を設けて、前記円錐筒部の基端内径を前記円形頭部よりも大径に、円錐筒部の先端内径を円形頭部よりも小径に形成し、前記円錐筒部の先端側に、その先端面に開口し、先端部を拡径可能とする複数の切込みを設けて、この切込みを設けた円錐筒部の先端側を拡径させて、円錐筒部を基端側から前記突出部の円形頭部の下側の首部に嵌め込み、この嵌め込み後に、前記拡径された円錐筒部の先端内径が円形頭部よりも小径となるようにして、前記円錐筒部の先端面を、円錐筒部の軸方向と直角な平面で形成し、前記円錐筒部の高さ寸法を、前記円形頭部の下側の首部の高さ寸法よりも高くし、前記首部に嵌め込まれる円錐筒部に負の高さ隙間を付与して、前記把手部材の環状基部を前記延伸ブロー成形された容器本体の底部に取り付けたことを特徴とする飲料ディスペンサ用カートリッジ容器。
【請求項２】
前記別体の把手部材を、一対の互いに反対側を向くＣ字状の把手部を有するものとし、前記環状基部に、外径側へ張り出して二股に分岐する二股基部を、１８０°の位相で２箇所に設け、前記一対のＣ字状の各把手部の両側の基端が、それぞれ前記２箇所に設けた各二股基部の二股に分岐する一方の先端に連なるようにし、これらの把手部の基端と二股基部の先端との連なり部を、一対の把手部が合わせて把持されるように屈曲可能とした請求項１に記載の飲料ディスペンサ用カートリッジ容器。
【請求項３】
前記連なり部を屈曲可能とする手段が、連なり部の屈曲断面での肉厚を両側よりも薄肉に形成して、この薄肉に形成した連なり部を、前記容器本体の底側へ湾曲させたものである請求項２に記載の飲料ディスペンサ用カートリッジ容器。
【請求項４】
前記合わせて把持される一対のＣ字状の把手部の合わせ側の面に、Ｃ字方向に延びる抉り溝を設け、少なくとも一方の合わせ側の面の抉り溝に、抉り溝の深さと等しい高さの堰を設けた請求項２または３に記載の飲料ディスペンサ用カートリッジ容器。
【請求項５】
前記合わせて把持される一対の把手部の合わせ側の面を平坦面とし、この平坦面とした少なくとも一方の合わせ側の面に突起部を設けた請求項２または３に記載の飲料ディスペンサ用カートリッジ容器。
【請求項６】
前記別体の把手部材を、前記樹脂製の容器本体と同じ種類の樹脂で形成した請求項１乃至５のいずれかに記載の飲料ディスペンサ用カートリッジ容器。
【請求項７】
前記容器本体と別体の把手部材を形成する同じ種類の樹脂を、ポリエチレンテレフタレートとした請求項６に記載の飲料ディスペンサ用カートリッジ容器。